(57)【特許請求の範囲】
【請求項１】
設置部に移動可能に配設され、表示部に演出画像を表示可能な表示装置を備える遊技機において、
前記表示装置を待機位置および作動位置の間で往復移動する駆動手段と、
前記表示装置に配設されて一体的に移動する導電部材と、
前記設置部に設けられ、前記表示装置が待機位置に位置する状態で前記導電部材に接触する第１アース部材と、
前記設置部に設けられ、前記表示装置が作動位置に位置する状態で前記導電部材に接触する第２アース部材と、
前記第１アース部材および第２アース部材が電気的に接続されるアース部と、
前記設置部に設けられ、前記表示装置を作動位置に保持すると共に保持を解除可能な保持手段とを備え、
前記導電部材は、前記表示装置の移動方向と交差する方向に延在し、該導電部材の延在方向の一端側に前記保持手段が配置されると共に、該導電部材の延在方向の他端側に前記第１アース部材および第２アース部材が配置され、
前記表示装置に帯電した静電気を、前記第１アース部材または第２アース部材を介してアース部に逃がし得るよう構成した
ことを特徴とする遊技機。
【発明の詳細な説明】
【技術分野】
【０００１】
本発明は、移動可能な表示装置を備えた遊技機に関するものである。
【背景技術】
【０００２】
代表的な遊技機であるパチンコ機は、パチンコ球(遊技球)が流下可能な遊技領域が画成された遊技盤に、パチンコ球が入賞可能な始動入賞口や、図柄を変動表示して図柄変動演出を行う液晶式やドラム式等の図柄表示装置が設けられ、遊技領域を流下するパチンコ球が始動入賞口へ入賞するのを契機として、図柄表示装置の図柄変動演出を開始するよう構成されている。このようなパチンコ機では、始動入賞口へのパチンコ球の入賞を契機として行われる当り判定に当選することで、図柄表示装置に所定の当り表示(例えば同一図柄の三つ揃等)が表示され、その結果、遊技者に有利な当り遊技が付与される。このような当り遊技では、特別入賞口を開閉可能に閉鎖する特別入賞装置の開閉部材が適宜の開放パターンで開閉動作されて、特別入賞口へのパチンコ球の入賞機会が与えられ、遊技者が賞球を獲得し得るようになっている。
【０００３】
また、メダルを用いたスロットマシン(遊技機)は、外周部に識別情報としての複数種類の図柄が表示された複数のリールを並列に配置した図柄表示装置を備え、メダルの投入または投入ボタン(ベットボタン)の操作後に、スタートレバーの操作を契機にリールの回転が開始するよう構成されている。そして、各リールに対応して設けたストップボタンが操作されることに基づいて各リールの回転を停止し、全てのリールの回転を停止したときに予め設定された入賞役に対応する図柄の組合わせが図柄表示装置の入賞ライン上に揃った場合に、該入賞役に応じて所定枚数のメダルが払い出されるよう構成されている。
【０００４】
前記パチンコ機やスロットマシン等の遊技機では、演出の多様化を図って遊技の興趣を向上するために、前記図柄変動演出等を実行する図柄表示装置とは別に、移動自在な液晶表示装置(表示装置)を設け、遊技の進行に合わせて液晶表示装置を移動すると共に、該液晶表示装置で各種の演出画像を表示するようにしたものが提案されている(例えば、特許文献１参照)。
【先行技術文献】
【特許文献】
【０００５】
【特許文献１】特開２０１３−２１２２８５号公報
【発明の概要】
【発明が解決しようとする課題】
【０００６】
前記液晶表示装置を移動する構成では、該液晶表示装置を移動させるための可動部分の摩擦等によって発生した静電気が液晶表示装置に帯電し、該静電気に起因して液晶表示装置に表示される画像が乱れたり、または静電気の放電により液晶表示装置の駆動回路が破損する等の液晶表示装置に悪影響を与えるおそれがある。
【０００７】
すなわち本発明は、従来の技術に係る遊技機に内在する前記問題に鑑み、これらを好適に解決するべく提案されたものであって、静電気を効果的に逃がし、静電気に起因する悪影響が表示装置に及ぶのを防止し得る遊技機を提供することを目的とする。
【課題を解決するための手段】
【０００８】
前記課題を解決し、所期の目的を達成するため、本願の請求項１に係る発明は、
設置部(35)に移動可能に配設され、表示部(40a)に演出画像を表示可能な表示装置(40)を備える遊技機において、
前記表示装置(40)を待機位置および作動位置の間で往復移動する駆動手段(51)と、
前記表示装置(40)に配設されて一体的に移動する導電部材(59)と、
前記設置部(35)に設けられ、前記表示装置(40)が待機位置に位置する状態で前記導電部材(59)に接触する第１アース部材(72)と、
前記設置部(35)に設けられ、前記表示装置(40)が作動位置に位置する状態で前記導電部材(59)に接触する第２アース部材(73)と、
前記第１アース部材(72)および第２アース部材(73)が電気的に接続されるアース部(76)と、
前記設置部(35)に設けられ、前記表示装置(40)を作動位置に保持すると共に保持を解除可能な保持手段(61)とを備え、
前記導電部材(59)は、前記表示装置(40)の移動方向と交差する方向に延在し、該導電部材(59)の延在方向の一端側に前記保持手段(61)が配置されると共に、該導電部材(59)の延在方向の他端側に前記第１アース部材(72)および第２アース部材(73)が配置され、
前記表示装置(40)に帯電した静電気を、前記第１アース部材(72)または第２アース部材(73)を介してアース部(76)に逃がし得るよう構成したことを要旨とする。
【０００９】
これによれば、表示装置の待機位置および作動位置の何れにおいても導電部材と第１アース部材または第２アース部材とを接触させて表示装置に帯電した静電気をアース部に逃がし得るよう構成したので、静電気を効果的に逃がすことができ、静電気に起因する悪影響が表示装置に及ぶのを防止し得る。また、保持手段と第１アース部材および第２アース部材とを導電部材の延在方向の一端側と他端側とに分けて配置するようにしたので、スペース効率よく保持手段と第１アース部材および第２アース部材とを配置することができる。
【００１０】
本願には、次のような技術的思想が含まれている。
前記保持手段(61)は、前記表示装置(40)に設けた係合部(62)に係合して前記表示装置(40)を作動位置に保持する係合位置および係合が解除される解除位置との間を変位可能な係合部材(63)と、
前記係合部材(63)を常には係合位置に付勢する付勢部材(64)と、
前記係合部材(63)を係合位置から解除位置に変位させる作動手段(65)とを備え、
前記係合部材(63)は、前記待機位置から作動位置へ移動する前記表示装置(40)の係合部(62)が当接した際には前記付勢部材(64)の付勢力に抗して係合位置から解除位置への変位が許容され、該係合部(62)が係合位置に至ることで前記付勢部材(64)の付勢力によって係合部材(63)が解除位置から係合位置に変位して係合部(62a)に係合するよう構成されたことを要旨とする。
これによれば、表示装置の待機位置から作動位置への移動によって保持手段の係合部材を変位させて係合部に係合させ得るので、係合部材を係合部に係合させるための駆動手段を必要とせず、構成を簡略化し得る。
【００１１】
本願には、次のような技術的思想が含まれている。
前記第１アース部材(72)と第２アース部材(73)とを電気的に接続する第１アース線(74)と、
前記第１アース部材(72)および第２アース部材(73)の何れか一方のアース部材(73)を前記アース部(76)に電気的に接続する第２アース線(75)とを備えることを要旨とする。
これによれば、表示装置の待機位置で導電部材が接触する第１アース部材と、表示装置の作動位置で導電部材が接触する第２アース部材とを別体で構成すると共に、両アース部材を第１アース線で接続するよう構成したので、一方のアース部材が損傷等した場合には損傷したアース部材のみの交換で済み、交換に掛かるコストを低減し得る。また、アース部材をアース部に接続するためのアース線の数を減らすことができる。
【００１２】
本願には、次のような技術的思想が含まれている。
前記アース部(76)は、前記設置部(35)における前記表示装置(40)の移動方向と交差する一側部に設けられると共に、前記第１アース部材(72)および第２アース部材(73)は、前記設置部(35)におけるアース部(76)が設けられる一側部に配置されていることを要旨とする。
これによれば、アース部とアース部材とを同じ側に配置したので、アース部とアース部材とを接続するアース線の取り回しが容易となる。
【００１３】
本願には、次のような技術的思想が含まれている。
遊技球が流下する遊技領域(23)が画成され、前記設置部(35)が取付けられる遊技盤(20)と、
前記遊技盤(20)を支持する本体枠(12)とを備え、
前記設置部(35)を取付けた遊技盤(20)を前記本体枠(12)に支持した状態で、該本体枠(12)の金属部分(83)に前記アース部(76)が接触するよう構成されたことを要旨とする。
これによれば、設置部のアース部と本体枠の金属部分とを接触させて電気的に接続するよう構成したので、アース部と金属部分とをアース線で接続する作業を省くことができる。
【発明の効果】
【００１４】
本発明に係る遊技機によれば、静電気に起因する悪影響が表示装置に及ぶのを防止し得る。
【図面の簡単な説明】
【００１５】
【図１】実施例に係るパチンコ機を示す正面図である。
【図２】実施例に係る遊技盤の正面図である。
【図３】実施例に係る中枠の要部正面図である。
【図４】実施例に係る設置部材を、表示演出装置が待機位置に位置する状態で示す正面図である。
【図５】実施例に係る表示演出装置を、待機位置に位置する状態で後側から見た概略斜視図である。
【図６】実施例に係る表示演出装置を、作動位置に位置する状態で後側から見た要部概略斜視図である。
【図７】実施例に係る保持手段を一部破断して示す概略正面図である。
【図８】実施例に係る保持手段を示す概略斜視図であって、(ａ)は係合部材と係合部とが係合する前の状態を示し、(ｂ)は係合部材と係合部とが係合した状態を示している。
【図９】実施例に係る表示演出装置を後側から見た要部概略斜視図であって、導電部材の接触部が第１アース部材と第２アース部材との間に位置する状態を示している。
【図１０】実施例に係る設置部材の要部縦断側面図であって、実線は表示演出装置の導電部材が設置部材の第１アース部材に接触している状態を示し、二点鎖線は表示演出装置の導電部材が設置部材の第２アース部材に接触している状態を示している。
【図１１】実施例に係る設置部材を示す要部正面図であって、(ａ)は表示演出装置が待機位置に位置する状態を示し、(ｂ)は表示演出装置が作動位置に位置する状態を示している。
【図１２】実施例に係る遊技盤に取付けた状態の設置部材におけるアース部の部分で縦断して示す要部側面図である。
【図１３】実施例に係る設置部材におけるアース部を示す要部概略斜視図である。
【図１４】実施例に係る設置部材を取付けた遊技盤を中枠に取付けた状態で、設置部材におけるアース部の部分で横断して示す要部平面図である。
【発明を実施するための形態】
【００１６】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持(支持)する本体枠としての中枠１２が開閉および着脱可能に組付けられると共に、遊技盤２０の後側に、図柄を変動表示可能な第１表示装置１７が着脱し得るよう配設されている。また、中枠１２の前面側には、遊技盤２０を透視可能に保護する透明部材１３ｂを窓口１３ａに備えた装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。
【００１８】
前記第１表示装置１７は、後述する始動入賞口２９ａ,２９ｂへのパチンコ球の入賞を契機として演出用の図柄(飾図という場合もある)を第１表示部１７ａに変動表示させる図柄変動演出を行うよう構成される。また第１表示装置１７では、図柄変動に関連して実行される各種の表示演出を第１表示部１７ａに表示し得るようになっている。実施例では、前記第１表示装置１７として、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１９】
(中枠１２について)
前記中枠１２は、図３に示すように、上下左右の枠部材１２ａ,１２ｂ,１２ｃ,１２ｄを組付けた枠状部材であって、中枠１２は、前記外枠１１の左上端部および左下端部に設けられた支軸を介して左側端部(一方の側部)が回転可能に枢支(ヒンジ接続)されて、該支軸を中心として中枠１２を回転させることで、該外枠１１に対して中枠１２を開閉し得るようになっている。また、中枠１２は、上下左右の枠部材１２ａ,１２ｂ,１２ｃ,１２ｄを組付けた際に前後に開口する開口縁部が、前記遊技盤２０を設置する遊技盤設置部８０として機能するよう構成されている。実施例では、前記上下の枠部材１２ａ,１２ｂは合成樹脂成形されると共に、左右の枠部材１２ｃ,１２ｄはアルミ等の導電性金属材により成形されて、中枠１２は全体として剛性を確保しつつ軽量化が図られている。
【００２０】
また、前記中枠１２の左枠部材１２ｃの開口内側(遊技盤設置部８０側)には、図３に示す如く、上下に離間する位置に、前記遊技盤２０の左側端部を着脱可能に保持する保持具８１,８１が複数(実施例では２個であるが、１個あるいは３個以上であってもよい)設けられると共に、上下の枠部材１２ａ,１２ｂにおける右端部(右枠部材１２ｄ側)に、遊技盤２０の右側上下端部を固定する固定具８２が夫々設けられている。すなわち、前記遊技盤２０を中枠１２に組付ける場合には、前記遊技盤設置部８０に斜めに遊技盤２０を臨ませて、該遊技盤２０の左側端部を前記保持具８１,８１で保持した状態で、遊技盤２０の右側端部を押し込んで遊技盤２０の左側端部を中心に回動させて遊技盤２０の全体を遊技盤設置部８０に臨ませて、前記固定具８２で遊技盤２０の右側上下端部を支持固定する。このように、実施例に係る遊技盤２０は、前記中枠１２と同様に、左側端部が回転中心となるよう支持される。
【００２１】
前記右枠部材１２ｄには、上下方向に離間する複数箇所に、図示しない遊技部品を取付けるための金属製の取付具(金属部分)８３が設けられている。そして、後述するように、最上位の取付具８３は、設置部材３５が取付けられた遊技盤２０を中枠１２に嵌め込んだ際に、アース部７６(後述)と接触して導通状態となるよう構成される(図１４参照)。なお、中枠１２の右枠部材１２ｄは、パチンコ機１０の電源制御を行う電源基板を備えた電源装置(図示せず)にリード線を介して電気的に接続されている。また、電源装置は、遊技店の島設備にアース接続されている。すなわち、中枠１２は、電源装置を介して全体としてアースされている。
【００２２】
図１に示す如く、前記前枠１３には、窓口１３ａを囲繞するようランプ装置(発光手段)１８が配設されると共に、前枠１３の上部位置に、音声や効果音を出力可能なスピーカ(音出力手段)１９が配設されている。そして、ランプ装置１８に設けられたＬＥＤ等の発光体(図示せず)を点灯・点滅したり、前記スピーカ１９から適宜の音声を出力することで、前記第１表示装置１７で行われる各種の表示演出(図柄変動演出)に合わせて光による演出や音による演出を行い得るよう構成されている。すなわち、前記ランプ装置１８やスピーカ１９は、第１表示装置１７と同様に演出手段としての機能を有している。また、前記上球受け皿１４は、前記前枠１３と別体に形成して中枠１２に対して開閉可能に組付けるようにしてもよい。
【００２３】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された第１球流下領域２３ａ(後述)をパチンコ球が流下する所謂「左打ち」と、該遊技盤２０に形成された第２球流下領域２３ｂ(後述)をパチンコ球が流下する所謂「右打ち」とを打ち分け得るようになっている。
【００２４】
(遊技盤２０について)
実施例の前記遊技盤２０は、アクリルやポリカーボネート等の光透過性の合成樹脂材から所定板厚の略矩形状に形成された平板状の透明板(遊技領域形成部材)であって、該遊技盤２０の裏側に前記第１表示装置１７が着脱自在に組付けられている。遊技盤２０の前側には、図２に示す如く、前面(盤面)に配設された略円形状の案内レール２１によりパチンコ球が流下可能(移動可能)な遊技領域２３が画成されて、前記打球発射装置から発射されたパチンコ球が当該遊技領域２３内に打ち出されることで遊技が行われるようになっている。また、遊技盤２０には、該遊技盤２０との間に収容空間を画成する設置部材３５が配設されており、収容空間には、発光により演出を行う発光演出装置や、後述する第２表示装置４０の動作等により演出を行う表示演出装置３９等の各種の演出装置が設置されている。そして、発光演出装置や表示演出装置３９は、前記第１表示装置１７で行われる各種の表示演出(図柄変動演出)に合わせて発光演出や第２表示装置４０の動作演出を行い得るよう構成されており、該発光演出装置および表示演出装置３９についても、第１表示装置１７と同様に演出手段としての機能を有している。なお、前記第１表示装置１７は、設置部材３５の裏側に取付けられて、後述するように設置部材３５に設けた開口部(可視部)３５ａおよび枠状装飾体２４(後述)の開口部２４ａを介して遊技盤２０の前側から視認可能に臨むよう構成される。なお、遊技盤２０は、ベニヤ材や合成樹脂材等の非光透過性の板部材の表面に装飾シール等を貼付したものであってもよい。
【００２５】
前記遊技盤２０には、前後に貫通する装着口(図示せず)が前記遊技領域２３内に複数開設されて、各装着口に対して各種の遊技盤設置部品(具体的には後述する枠状装飾体２４、始動入賞装置２９、特別入賞装置３０、ゲート部３１等)が前側から取付けられると共に、遊技領域２３の最下部位置には、該遊技領域２３に打ち出されたパチンコ球を排出するアウト口２２が開設されており(図２参照)、遊技領域２３に打ち出されてアウト口２２に入球したパチンコ球が機外に排出されるよう構成される。また、前記遊技盤２０には、前記遊技領域２３内に多数の遊技釘３２が設けられると共に、後述する枠状装飾体２４の左側方に、遊技領域２３(第１球流下領域２３ａ)を流下するパチンコ球の接触に伴って回転する回転案内部材３３が回転自在に支持されており、遊技釘３２や回転案内部材３３との接触によりパチンコ球の流下方向が不規則に変化するよう構成されている。前記回転案内部材３３は、所謂「風車」とも称される部材であって、該回転案内部材３３の回転に伴ってパチンコ球を弾くように左右方向へ放出する部材である。なお、前記装着口の形成数は、遊技盤２０に対して取付けられる各種遊技構成部品の個数や配設位置等により必要に応じて適宜決定される。
【００２６】
実施例の前記遊技盤２０には、図２に示す如く、前記案内レール２１で囲まれた遊技領域２３の略中央の大部分が開口する装着口に、前後に開口する開口部２４ａが形成された枠状装飾体２４が取付けられ、該枠状装飾体２４の開口部２４ａを介して第１表示装置１７の第１表示部１７ａが遊技盤２０の前面側に臨むよう構成されている。
【００２７】
(枠状装飾体２４について)
前記遊技盤２０に配設される前記枠状装飾体２４は、図２に示す如く、前記遊技盤２０に開設された前記装着口の内側に沿って延在する環状に形成された枠状基部(図示せず)と、該枠状基部に設けられて前記遊技盤２０の前面より前方に突出し、前記遊技領域２３と第１表示装置１７の第１表示部１７ａを区切って該遊技領域２３の内周を画成する庇状部２４ｂと、該庇状部２４ｂの後縁から外方に延出する薄板状の台板部２４ｃとを備える。そして、前記枠状基部を装着口に挿入すると共に台板部２４ｃを遊技盤２０の前面に当接した状態で、該台板部２４ｃをネジ等の固定手段で遊技盤２０に固定することで、枠状装飾体２４が遊技盤２０に取付けられる。ここで、前記庇状部２４ｂは、前記枠状装飾体２４(枠状基部)の左側縁の略中間位置から上縁および右下縁に亘って連続して延在するように設けられており、開口部２４ａ側、すなわち第１表示装置１７における第１表示部１７ａの前面側を横切ってパチンコ球が流下(落下)するのを規制している。
【００２８】
前記枠状装飾体２４には、図２に示す如く、前記開口部２４ａの下側に、遊技領域２３からパチンコ球が飛び込み可能なステージ２６が設けられており、遊技領域２３からステージ２６に飛び込んだパチンコ球は、該ステージ２６上を左右に転動した後に、後述する始動入賞装置２９が配設されている遊技領域２３に排出される。またステージ２６の後端縁には、左右方向の全長に亘って上側に向けて所定高さで立上がる透明壁２５が設けられ、ステージ２６上を転動するパチンコ球が第１表示装置１７の第１表示部１７ａ側に移動するのを該透明壁２５で防止している。
【００２９】
前記遊技盤２０に画成された遊技領域２３は、前記枠状装飾体２４における庇状部２４ｂの左側方をパチンコ球が流下する第１球流下領域２３ａと、該枠状装飾体２４における庇状部２４ｂの上方から右側方をパチンコ球が流下する第２球流下領域２３ｂとに区画されている。これにより、前記操作ハンドル１６の操作レバー１６ａを回動操作して打球力を調節することで、遊技領域２３に打ち出されたパチンコ球が第１球流下領域２３ａを流下する遊技形態(左打ち)および当該パチンコ球が第２球流下領域２３ｂを流下する遊技形態(右打ち)の何れかを遊技者が任意に選択し得るようになっている。
【００３０】
前記遊技盤２０には、枠状装飾体２４の下方に開設された装着口に、遊技領域２３(第１球流下領域２３ａ,第２球流下領域２３ｂ)を流下するパチンコ球が入賞可能な始動入賞口２９ａ,２９ｂを有する始動入賞装置(入賞装置)２９が取付けられている。また、始動入賞装置２９の右方に開設された装着口に、遊技領域２３(第２球流下領域２３ｂ)を流下するパチンコ球が入賞可能な特別入賞口(入賞口)３０ａを有する特別入賞装置(入賞装置)３０が取付けられている。また、枠状装飾体２４の右方に開設された装着口に、遊技領域２３(第２球流下領域２３ｂ)を流下するパチンコ球が通過可能なゲート部３１が取付けられている。更に、始動入賞装置２９の左方に開設された装着口に、遊技領域２３(第１球流下領域２３ａ)を流下するパチンコ球が入賞可能な普通入賞口３４ａを有する普通入賞部３４が取付けられている。なお、実施例では、始動入賞装置２９および特別入賞装置３０にも普通入賞口３４ａを有する普通入賞部３４が設けられている。
【００３１】
(始動入賞装置２９について)
前記枠状装飾体２４の下方位置に取付けられた前記始動入賞装置２９は、前記第１球流下領域２３ａと第２球流下領域２３ｂとが合流する合流部に位置して、該始動入賞装置２９に設けられた始動入賞口２９ａ,２９ｂには両球流下領域２３ａ,２３ｂを流下するパチンコ球が入賞可能に構成されている。実施例の始動入賞装置２９には、上下の関係で第１始動入賞口２９ａと第２始動入賞口２９ｂとが設けられている。上側に位置する第１始動入賞口２９ａは、遊技領域２３内で常に上方へ開口する常時開放タイプの入賞口とされ、該第１始動入賞口２９ａは、前記遊技領域２３を流下するパチンコ球が常時一定の確率で入賞可能に構成される。これに対して下側に位置する第２始動入賞口２９ｂは、始動用開閉部材２９ｃによって開閉するよう構成されており、駆動手段としての始動入賞ソレノイド(図示せず)の駆動に伴って始動用開閉部材２９ｃが第２始動入賞口２９ｂを閉鎖する閉鎖位置と開放する開放位置に変位するよう構成されている。すなわち、第２始動入賞口２９ｂは、始動入賞ソレノイドを駆動することでパチンコ球の入賞確率を可変し得るよう構成される。
【００３２】
前記始動入賞装置２９は、各始動入賞口２９ａ,２９ｂに入賞したパチンコ球を検出する入賞検出手段としての始動入賞検出スイッチ(図示せず)を備えている。始動入賞検出スイッチは、パチンコ機１０の裏側に配設された図示しない制御手段に配線接続されており、該始動入賞検出スイッチによるパチンコ球の検出を契機として所定数の賞球が払い出されるようになっている。また、始動入賞検出スイッチによるパチンコ球の検出に伴って各種情報が取得され、この取得した情報に基づいて特図当り抽選(大当り判定)が行われるよう構成されている。そして、特図当り抽選の結果に基づいて前記第１表示装置１７の第１表示部１７ａにおいて図柄変動演出が実行され、該第１表示装置１７の第１表示部１７ａでの図柄変動演出の結果、該第１表示部１７ａに所定の組み合わせ(例えば同一飾図の３つ揃い等)で飾図が確定停止表示されることで、遊技者に有利な大当り遊技状態が付与され、大当り遊技状態の発生に伴って前記特別入賞装置３０を所定の開放条件で開放する大当り遊技(当り遊技)が行われて、遊技者が賞球を獲得し得る機会が与えられるよう構成されている。また実施例のパチンコ機１０は、大当り遊技の終了後に遊技者に有利な遊技状態として、特図当りの抽選確率が低確率から高確率に変動して大当り遊技状態が生起され易くなる確変状態や、前記第２始動入賞口２９ｂへのパチンコ球の入賞契機が増加(非変短状態と較べて増加)する変短状態を付与する機能を備えている。確変状態および変短状態は、各始動入賞口２９ａ,２９ｂへの入賞を契機として制御手段で実行される特図当り抽選で当選した大当りの種類(具体的には大当り図柄の種類)が、予め定めた確変図柄および変短図柄であることを条件として、大当り遊技の終了後に付与される。
【００３３】
(特別入賞装置３０について)
前記特別入賞装置３０は、遊技領域２３(第２球流下領域２３ｂ)に開口する特別入賞口３０ａを開閉自在に閉成する特別用開閉部材３０ｂを備えており、駆動手段としての特別入賞ソレノイド(図示せず)の駆動に伴って特別用開閉部材３０ｂが閉鎖する閉鎖位置と開放する開放位置に変位するよう構成されている。また、前記特別入賞装置３０には、前記特別入賞口３０ａに入賞したパチンコ球を検出する特別入賞検出手段としての特別入賞検出センサ(図示せず)が設けられている。特別入賞検出センサは、前記制御手段に配線接続されており、特別入賞検出センサからの検出信号が制御手段に入力されることを賞球の払出条件として、該制御手段が賞球の払い出しを決定するようになっている。ここで、前記特別入賞ソレノイドは、前記始動入賞口２９ａ,２９ｂへのパチンコ球の入賞を契機として特別入賞口３０ａを開閉する大当り遊技が付与される場合(大当り判定の結果が肯定の場合)に、前記第１表示装置１７による図柄変動演出の終了後に制御手段によって駆動制御される。
【００３４】
(ゲート部３１について)
前記ゲート部３１には、該ゲート部３１をパチンコ球が通過したことを検出するゲートセンサ(図示せず)が配設される。ゲートセンサは、前記制御手段に配線接続されており、該ゲートセンサから制御手段への球検出信号の入力、すなわちゲートセンサのパチンコ球の検出(ゲート部３１のパチンコ球の通過)に伴って各種通過検出情報(乱数等の遊技情報)が取得され、この取得した遊技情報に基づいて普図当り抽選(普図当り判定)が行われるよう構成されている。そして、この普図当り抽選の結果に応じて前記始動入賞装置２９の始動入賞ソレノイドが駆動制御されて始動用開閉部材２９ｃが開閉動作するようになっている。
【００３５】
(普通入賞部３４について)
前記普通入賞部３４は、パチンコ球が入賞可能な普通入賞口３４ａが上方に常時開口するように前記遊技盤２０に設けられており、遊技領域２３を流下するパチンコ球が一定の確率で普通入賞口３４ａに入賞し得るようになっている。普通入賞部３４は、普通入賞口３４ａに入賞したパチンコ球を検出する入賞検出手段としての普通入賞検出センサ(図示せず)が設けられている。前記普通入賞検出センサは、前記制御手段に配線接続されており、普通入賞検出センサからの検出信号が制御手段に入力されることを賞球の払出条件として、該制御手段が賞球の払い出しを決定するようになっている。
【００３６】
(設置部材３５について)
前記設置部材(設置部)３５は、図４に示す如く、前記遊技盤２０の外郭形状より僅かに小さい形状に形成された略矩形状の背面板(設置部)３６と、該背面板３６の外周縁部から前方に突出する画壁部３７とから前方に開口した箱状に形成されて、該画壁部３７の開口前端部に形成されて開口外側へ延出する取付部３８を遊技盤２０の裏面に当接させた状態で、当該遊技盤２０と設置部材３５とがネジ止め固定される(図１２参照)。そして、前記設置部材３５において前記遊技盤２０との間に画成される空間に、動作により演出を行う表示演出装置３９が設置されて、設置部材３５を基材とする１つのユニットとして扱い得るようになっている。前記設置部材３５の背面板３６には、前記枠状装飾体２４の開口部２４ａと前後に整列する位置に、略矩形状の開口部３５ａが前後に開口するよう開設される。そして、背面板３６の裏面に配設した前記第１表示装置１７の第１表示部１７ａが、前記開口部３５ａおよび開口部２４ａを介して遊技盤２０の前側に臨むようになっている。なお、以下の説明では、設置部材３５の背面板３６について、開口部３５ａに対する上下左右の各部位を、上板部３６ａ,下板部３６ｂ,左板部３６ｃ,右板部３６ｄと指称して区別する場合がある。また、設置部材３５の画壁部３７についても、開口部２４ａに対する上下左右の各部位を、上壁部３７ａ,下壁部３７ｂ,左壁部３７ｃ,右壁部３７ｄと指称して区別する場合もある。
【００３７】
(表示演出装置３９について)
前記設置部材３５の背面板３６に、表示演出を実行する第２表示装置(表示装置)４０を背面板３６に対して変位可能(移動自在)に備える表示演出装置３９が配設されている。この表示演出装置３９は、前記第１表示装置１７における第１表示部１７ａの前側(枠状装飾体２４の後側)を、前記第２表示装置４０が上下方向に移動するよう構成されている。また表示演出装置３９は、第２表示装置４０を、後述する移動機構４７によって前記枠状装飾体２４における開口部２４ａの下縁部側(開口部縁部側)の待機位置(図２の実線位置)と、該待機位置より窓口中央側(開口部中央側)の作動位置(図２の二点鎖線位置)との間を往復移動するよう構成される。そして、第２表示装置４０は、待機位置から作動位置に移動することで、該第２表示装置４０が前記第１表示装置１７における第１表示部１７ａの前側に重なる領域を変化させるようになっている。具体的には、第２表示装置４０が待機位置に位置する状態より作動位置に位置する状態の方が、第１表示部１７ａを前側から視認可能な視認領域が小さくなるよう構成されている。
【００３８】
前記第２表示装置４０は、カバー部材とベース部材とを前後の関係で組付けることで構成される収容ケース４１に、各種画像を表示可能な液晶パネル４２を収容した液晶表示装置が採用され、収容ケース４１に収容された液晶パネル４２は、該収容ケース４１の前側に形成した開口部４１ａから前側に臨むよう構成される。以後、液晶パネル４２における収容ケース４１の開口部４１ａから前側に臨む部位を第２表示部(表示部)４０ａと指称する。そして、第２表示装置４０では、第２表示部４０ａで各種の演出画像を表示する演出を実行し得るよう構成される。
【００３９】
前記第２表示装置４０の第２表示部４０ａは、待機位置および作動位置の何れの位置においても前側から視認可能に構成されており、該第２表示装置４０が待機位置および作動位置に移動した状態で第２表示部４０ａに表示される演出によって興趣を向上し得るようになっている。具体的に、図２に示す如く、第２表示装置４０の待機位置では、第２表示部４０ａは、一部が前記透明壁２５の後側に位置すると共に一部が透明壁２５の上端縁より上側に延出して、該第２表示部４０ａは透明壁２５および枠状装飾体２４の開口部２４ａを介して前側から視認し得るよう構成される。また、第２表示装置４０の作動位置では、第２表示部４０ａの全体が透明壁２５の上端縁より上側に延出して、該第２表示部４０ａは枠状装飾体２４の開口部２４ａを介して前側から視認し得るよう構成される。第２表示装置４０では、前記始動入賞口２９ａ,２９ｂへのパチンコ球の入賞を契機として第１表示装置１７で実行される図柄変動演出と関連して、該図柄変動演出とは別の演出を表示し得る他、客寄せのためのデモンストレーション演出(デモ演出)を表示し得るよう構成される。図柄変動演出と関連した表示演出としては、例えば、特図当り抽選や普図当り抽選に当選する期待度等を示唆する予告演出や、該特図当り抽選や普図当り抽選の結果を報知する報知演出等が挙げられる。なお、第２表示装置４０は、第１表示装置１７と同様に、液晶表示装置に限られるものではなく、ドラム式の表示装置やドットマトリックス式の表示装置等の従来公知の各種の表示装置を採用し得る。
【００４０】
(移動機構４７について)
前記表示演出装置３９は、前記背面板３６の前側に配設されて、前記第２表示装置４０が移動自在に支持される支持基体４３を備える。この支持基体４３は、図４に示す如く、左右方向に離間する一対の支持部４４,４５を備え、左側の第１支持部４４が、前記左板部３６ｃの前側で上下方向に延在すると共に、右側の第２支持部４５が、前記右板部３６ｄの前側で上下方向に延在している。そして、各支持部４４,４５を対応する板部３６ｃ,３６ｄに夫々ネジ止め固定することで、支持基体４３が設置部材３５に位置決め固定される。
【００４１】
前記両支持部４４,４５間に、第２表示装置４０が移動自在に支持されている。具体的には、第２表示装置４０は、図５に示す如く、前記収容ケース４１の後面に、左右方向(第２表示装置４０の移動方向と交差する方向)に延在する保持部材４６を備え、該保持部材４６における収容ケース４１の左右の各端縁から外方に延出する各端部が、対応する支持部４４,４５に移動自在に支持されている。なお、各支持部４４,４５には、内側(対向する支持部４４,４５を指向する側)に上下方向に延在する長孔(図示せず)が形成されており、該長孔に保持部材４６の対応する端部が挿通されている。すなわち、両支持部４４,４５に対して第２表示装置４０は、前後方向の変位が規制された状態で上下方向に移動自在に支持されている。そして、第２表示装置４０は、前記支持基体４３および保持部材４６に配設された移動機構４７によって、下方の待機位置と上方の作動位置との間を往復移動するよう構成される。移動機構４７は、両支持部４４,４５に設けられて上下方向に(第２表示装置４０の移動方向に沿って)延在するラック４８,４８と、保持部材４６に回転自在に支持されて各ラック４８に噛合するピニオン４９,５０と、該ピニオン４９,５０を回転駆動する駆動モータ(駆動手段)５１とを備える。
【００４２】
前記保持部材４６には、左右方向に延在する回転軸５２が回転自在に支持されており、該回転軸５２の軸方向の両端に第１ピニオン(ピニオン)４９が夫々一体回転可能に配設されている。また、保持部材４６の左右両端部には、回転軸５２に設けられた各第１ピニオン４９の上側に第２ピニオン５０が夫々回転自在に支持されている。そして、第１支持部４４に設けられたラック４８に対して上下に離間する第１ピニオン４９および第２ピニオン５０が噛合すると共に、第２支持部４５に設けられたラック４８に対して上下に離間する第１ピニオン４９および第２ピニオン５０が噛合しており、左右(後述する導電部材５９の延在方向)に離間するラック４８,４８とピニオン４９,５０,４９,５０との噛合作用下に第２表示装置４０は安定して待機位置と作動位置との間を移動し得るようになっている。前記保持部材４６には、左右方向の一方の端部(実施例では左端部)にモータ取付部材５３を介して前記駆動モータ５１が配設されると共に、該駆動モータ５１により回転駆動される駆動歯車(図示せず)が、対応する側に位置する第１ピニオン４９および第２ピニオン５０に噛合している。すなわち、駆動モータ５１により駆動歯車を回転駆動すると、該駆動歯車に噛合する第１ピニオン４９および第２ピニオン５０は同一方向に回転する。また、左側の第１ピニオン４９の回転に伴って回転軸５２が回転することで右側の第１ピニオン４９も同一方向に回転する。これにより、各ラック４８とピニオン４９,５０との噛合作用によって第２表示装置４０が上下方向に移動するようになっている。なお、右側の第２ピニオン５０は、ラック４８との噛合作用下に第２表示装置４０の移動に伴って従動して回転する。
【００４３】
前記モータ取付部材５３に検出片５３ａが設けられると共に、前記設置部材３５に、第２表示装置４０の移動方向(実施例では上下方向)に離間して該検出片５３ａを検出可能な第１検出センサ５４および第２検出センサ５５が配設されている(図４参照)。第１検出センサ５４は、第２表示装置４０の待機位置において検出片５３ａを検出し、第２検出センサ５５は、第２表示装置４０の作動位置において検出片５３ａを検出し得るよう構成される。両検出センサ５４,５５は前記制御手段に配線接続されており、各検出センサ５４,５５が検出片５３ａを検出した信号の入力に基づいて駆動モータ５１を制御手段が停止制御することで、第２表示装置４０を待機位置および作動位置で停止保持し得るよう構成される。なお、両検出センサ５４,５５は、設置部材３５に配設されて後述する引張りコイルバネ５８を収容するケース体５６の前面に配設されている。
【００４４】
ここで、前記表示演出装置３９は、図４に示す如く、前記第２表示装置４０の左右両側に、可動演出体５７を夫々備え、両可動演出体５７,５７は、前記保持部材４６に対して上下方向に移動自在に支持されている。そして、両可動演出体５７,５７は、第２表示装置４０の移動に伴って図示しない連繋機構によって第２表示装置４０に対して相対的に上下動するよう構成される。具体的には、第２表示装置４０の待機位置では、図２において実線で示す如く、両可動演出体５７,５７の上端位置は第２表示装置４０の上端位置と略同じレベルで位置し、第２表示装置４０の作動位置では、図２において二点鎖線で示す如く、両可動演出体５７,５７の上端位置は第２表示装置４０の上端位置より上側に変位したレベルで位置するよう構成される。また、各可動演出体５７の前面部には、光透過部が所定のデザインで施され、可動演出体５７の裏側に配設した発光基板に実装した発光体(ＬＥＤ)を発光させることで、光透過部を明輝させて第２表示装置４０の両側で発光演出を行い得るよう構成されている。
【００４５】
(引張りコイルバネ５８について)
前記保持部材４６における左右方向の一方の端部(実施例では左端部)と設置部材３５との間に、付勢手段としての引張りコイルバネ５８(図４,図５参照)が張架されて、第２表示装置４０は、常には引張りコイルバネ５８によって作動位置に向けて付勢されている。具体的には、設置部材３５における左壁部３７ｃの内面に、上下方向に所定長さで延在するケース体５６が配設されると共に、該ケース体５６の内側を向く内側面には内外方向に貫通する長孔５６ａが上下方向に所定長さで形成されている(図１０参照)。また、前記保持部材４６の左端部に設けられた係止部５３ｂ(図５,図６参照)が長孔５６ａからケース体５６の内部に挿通されて、第２表示装置４０の移動時には係止部５３ｂが長孔５６ａに沿って移動可能に構成されている。なお、実施例では係止部５３ｂは、前記モータ取付部材５３に設けられているが、保持部材４６に直に設けることができる。そして、ケース体５６の内部上端部に一端(上端)が係止された引張りコイルバネ５８の他端(下端)が前記係止部５３ｂに係止されて、該引張りコイルバネ５８によって保持部材４６を備える第２表示装置４０を作動位置に向けて付勢するよう構成される。すなわち、第２表示装置４０を下方の待機位置から上方の作動位置に移動する際に前記駆動モータ５１に加わる負荷を引張りコイルバネ５８の付勢力によって軽減し得るよう構成される。また、引張りコイルバネ５８は、保持部材４６における駆動モータ５１の配設側に配置されており、駆動モータ５１の重量が加わる保持部材４６の一端部側を引張りコイルバネ５８で上方に付勢することで、駆動モータ５１に加わる負荷をより軽減し得るようになっている。
【００４６】
(導電部材５９について)
前記第２表示装置４０には、該第２表示装置４０に帯電した静電気を外部に逃すための導電部材５９が配設されている。導電部材５９は、左右方向に所定長さで延在する金属板金であって、実施例では導電部材５９が前記保持部材４６の後面における左右方向の略全体を覆うように配設されて、該保持部材４６の剛性を高める補強材としての機能も有している(図５参照)。この導電部材５９における左右方向の一端部には、接触部６０が設けられており、該接触部６０に後述するアース部材７２,７３が接触可能に構成されている(図１０参照)。実施例では、接触部６０は、導電部材５９における前記保持部材４６に駆動モータ５１が取付けられると共に引張りコイルバネ５８が係止される側(他端側)とは反対側(一端側)に対応する側に設けられている。
【００４７】
前記接触部６０は、図１０に示す如く、側面視において前記背面板３６の前面に沿って延在する平坦部６０ａと、該平坦部６０ａにおける上下の端縁から前側に向けて斜めに折曲形成された導入部６０ｂ,６０ｃとからなり、待機位置および作動位置において対応するアース部材７２,７３が平坦部６０ａに接触するよう構成されている。接触部６０における各導入部６０ｂ,６０ｃの構成をより具体的に説明すると、接触部６０における下端縁(待機位置側の端縁)から延出する第１導入部６０ｂは、平坦部６０ａから下側に向かうにつれて前側に変位するように傾斜し、第２表示装置４０が作動位置から待機位置へ移動する際に接触する第１アース部材７２の第１弾性片７２ｂ(後述)を平坦部６０ａにスムーズに導びき得るようになっている。また、接触部６０における上端縁(作動位置側の端縁)から延出する第２導入部６０ｃは、平坦部６０ａから上側に向かうにつれて前側に変位するように傾斜し、第２表示装置４０が待機位置から作動位置へ移動する際に接触する第２アース部材７３の第２弾性片７３ｂ(後述)を平坦部６０ａにスムーズに導びき得るようになっている。
【００４８】
(保持手段６１について)
実施例のパチンコ機１０は、前記第２表示装置４０を、前記作動位置に保持すると共に保持を解除可能な保持手段６１を備えている。この保持手段６１は、図５〜図８に示す如く、前記保持部材４６に設けた係合部６２に係合して第２表示装置４０を作動位置に保持する係合位置および係合が解除される解除位置の間を変位可能な係合部材６３と、該係合部材６３を常には係合位置に向けて付勢する付勢部材としてのバネ部材６４と、係合部材６３を係合位置から解除位置に変位させる作動手段としての電磁ソレノイド６５とを備える。実施例では、前記保持部材４６における前記駆動モータ５１が取付けられると共に引張りコイルバネ５８が係止される側(他端側)の後面から後方に突出するように係合部６２が設けられ、該係合部６２は、前記導電部材５９に開設した通孔５９ａを介して該導電部材５９の後方に突出している。また、係合部６２には、上側から下側に向かうにつれて保持部材４６の他端側に変位する傾斜面６２ａが形成されている(図６参照)。
【００４９】
前記係合部材６３は、設置部材３５に対して取着部材６６(図４参照)を介して前後方向の軸回りに回動自在に支持される。具体的に係合部材６３は、取着部材６６に設けられた前後方向に延在する支持軸６７(図７参照)に回動自在に支持される支持基部６８と、該支持基部６８から径方向に延出する第１延出部６９および第２延出部７０を備え、第１延出部６９が下方を指向する状態で、第２延出部７０は側方を指向するよう構成される。第１延出部６９の下部には、前記係合部６２に形成されている傾斜面６２ａと対応するように傾斜する傾斜面６９ａが形成されると共に、該係合部６２が係合可能な段部６９ｂが設けられている。また、第２延出部７０には、下端が取着部材６６(設置部材３５)に係止されたバネ部材６４の上端が係止されて、該係合部材６３はバネ部材６４によって図７において反時計方向に回転するように付勢されている。
【００５０】
前記取着部材６６には、前記係合部材６３の支持位置より上側に、前記電磁ソレノイド６５がプランジャ６５ａを下向きにして配設されると共に、該プランジャ６５ａが連繋する作動部材７１が、取着部材６６(設置部材３５)に対して上下方向に移動自在に支持されている。電磁ソレノイド６５は、通電された励磁状態においてプランジャ６５ａが上側へ変位され、これに対し遮電された非励磁状態においてプランジャ６５ａが作動部材７１の重量や前記バネ部材６４の付勢力によって下側へ変位されるようになっている。作動部材７１は、前記係合部材６３における支持基部６８の側方を垂下する作動部７１ａを備え、該作動部７１ａに形成された係合孔７１ｂに前記第２延出部７０が挿通されている。そして、該第２延出部７０における作動部７１ａから支持基部６８と反対側に延出する端部に、前記バネ部材６４の上端が係止されている。すなわち、電磁ソレノイド６５の非励磁状態においてプランジャ６５ａに連繋する作動部材７１が該プランジャ６５ａによって最も下側の位置に保持されている状態で、係合部材６３は、係合孔７１ｂに挿通された第２延出部７０の下面が係合孔７１ｂの下端縁に当接して前記係合部６２が第１延出部６９の段部６９ｂに係合可能な係合位置(図７の実線位置)に保持されて、この係合位置において前記第１延出部６９は前記保持部材４６の係合部６２(具体的には傾斜面６２ａ)の略真上に位置している。また、係合孔７１ｂは、第２延出部７０の下面が係合孔７１ｂの下端縁に当接した状態から該第２延出部７０の上方への移動(係合部材６３の図７における時計方向への回動)を許容する寸法に設定されている。すなわち、前記第２表示装置４０が待機位置から作動位置へ移動する際に、前記係合部６２が第１延出部６９に当接したときには係合部材６３の時計方向への回動(係合位置から解除位置への移動)が許容されて、作動部材７１およびプランジャ６５ａを作動させることなく係合部材６３のみが回動するよう構成される。そして、係合部６２が、その傾斜面６２ａの下端が第１延出部６９の傾斜面６９ａの上端より上側へ移動して傾斜面同士が当接しなくなったときに、前記バネ部材６４の付勢力によって係合部材６３が反時計方向に回動して第１延出部６９の段部６９ｂに係合部６２が係合することで、第２表示装置４０が作動位置に保持されるよう構成される。また、電磁ソレノイド６５を励磁してプランジャ６５ａに連繋する作動部材７１を引き上げることで、バネ部材６４の付勢力に抗して係合部材６３が解除位置まで回動することによって、係合部材６３と係合部６２との係合状態が解除されて、第２表示装置４０の待機位置への移動が許容されるようになっている。
【００５１】
すなわち、実施例のパチンコ機１０では、前記保持手段６１の係合部材６３は、待機位置から作動位置へ移動する第２表示装置４０の係合部６２が当接した際にはバネ部材６４の付勢力に抗して係合位置から解除位置への変位が許容され、該係合部６２が係合位置に至ることで前記バネ部材６４の付勢力によって係合部材６３が解除位置から係合位置に変位して係合部６２に係合するよう構成される。そして、前記電磁ソレノイド６５を励磁して係合部材６３を係合位置から解除位置に変位させることで、該係合部材６３と係合部６２との係合が解除されて、第２表示装置４０の作動位置から待機位置への移動が許容されるよう構成される。
【００５２】
(アース部材７２,７３について)
前記設置部材３５における前記引張りコイルバネ５８および保持手段６１の配置側とは反対側である右板部３６ｄに、前記第２表示装置４０の移動方向(上下方向)に離間して第１アース部材７２および第２アース部材７３が配設されている。言い替えると、第１アース部材７２および第２アース部材７３は、第２表示装置４０と一体的に移動する導電部材５９における延在方向の一端側(保持部材４６における駆動モータ５１が配設される側)とは反対側の他端側が臨む右板部３６ｄに配置されている。そして、下側に位置する第１アース部材７２は、第２表示装置４０が待機位置に位置する状態で、前記導電部材５９の接触部６０に接触して導通状態となり(図１０の実線参照)、上側に位置する第２アース部材７３は、第２表示装置４０が作動位置に位置する状態で、前記導電部材５９の接触部６０に接触して導通状態となる(図１０の二点鎖線参照)よう構成される。
【００５３】
(第１アース部材７２について)
前記第１アース部材７２は、金属板を折曲形成した板バネ部材であって、図９,図１０に示す如く、右板部３６ｄにネジ止め固定される第１基部(基部)７２ａと、該第１基部７２ａから前側に延出するように折曲形成されて弾性変形可能な第１弾性片(弾性片)７２ｂとを備え、該第１弾性片７２ｂが前記導電部材５９の接触部６０に接触可能に構成されている。第１弾性片７２ｂは、第１基部７２ａから前側に向かうにつれて斜め下方に延在するように折曲形成されて、自由端側が第１基部７２ａとの接続部より下側に位置するよう構成される。すなわち、第１アース部材７２の第１弾性片７２ｂは、作動位置側から待機位置側へ向かうにつれて待機位置に位置する第２表示装置４０の導電部材５９(接触部６０)に対して近接するように傾斜している。また、第１弾性片７２ｂの自由端部は、後側に向けて弧状に折曲形成されている。すなわち、第２表示装置４０が作動位置から待機位置に向けて移動する際に、第１弾性片７２ｂの自由端が導電部材５９の接触部６０に突っ掛かることなくスムーズに弾性変形しつつ平坦部６０ａに弾性的に接触するよう構成される。
【００５４】
(第２アース部材７３について)
前記第２アース部材７３は、前記第１アース部材７２と同様に金属板を折曲形成した板バネ部材であって、図９,図１０に示す如く、右板部３６ｄにネジ止め固定される第２基部(基部)７３ａと、該第２基部７３ａから前側に延出するように折曲形成されて弾性変形可能な第２弾性片(弾性片)７３ｂとを備え、該第２弾性片７３ｂが前記導電部材５９の接触部６０に接触可能に構成されている。第２弾性片７３ｂは、第２基部７３ａから前側に向かうにつれて斜め上方に延在するように折曲形成されて、自由端側が第２基部７３ａとの接続部より上側に位置するよう構成される。すなわち、第２アース部材７３の第２弾性片７３ｂは、待機位置側から作動位置側へ向かうにつれて作動位置に位置する第２表示装置４０の導電部材５９(接触部６０)に対して近接するように傾斜している。また、第２弾性片７３ｂの自由端部は、後側に向けて弧状に折曲形成されている。すなわち、第２表示装置４０が待機位置から作動位置に向けて移動する際に、第２弾性片７３ｂの自由端が導電部材５９の接触部６０に突っ掛かることなくスムーズに弾性変形しつつ平坦部６０ａに弾性的に接触するよう構成される。
【００５５】
実施例のパチンコ機１０では、前記第１アース部材７２と第２アース部材７３とは、図９,図１１に示す如く、左右方向に変位して右板部３６ｄに配置されており、前記導電部材５９の接触部６０(平坦部６０ａ)は、左右に変位している第１アース部材７２の第１弾性片７２ｂおよび第２アース部材７３の第２弾性片７３ｂに接触可能な幅寸法に設定されている。また、接触部６０における上端縁および下端縁に設けられる前記第１導入部６０ｂおよび第２導入部６０ｃは、対応する弾性片７２ｂ,７３ｂが接触する側に偏倚して設けられている。なお、第１アース部材７２および第２アース部材７３は、設置部材３５に配設された装飾部７９(図２参照)によって前側から視認し得ないよう構成されている。
【００５６】
(アース線７４,７５について)
前記第１アース部材７２と第２アース部材７３とは、図４,図１１に示す如く、第１アース線７４によって電気的に接続されている。また、第２アース部材(一方のアース部材)７３は、前記設置部材３５に設けられたアース部７６に第２アース線７５によって電気的に接続されている。第１アース線７４は、延在方向の両端部に金属製の第１ネジ止め部７４ａを夫々備え、一方の第１ネジ止め部７４ａが第１アース部材７２の第１基部７２ａにネジ止め固定されると共に、他方の第１ネジ止め部７４ａが第２アース部材７３の第２基部７３ａにネジ止め固定されている。また、設置部材３５の右板部３６ｄには、第１アース部材７２と第２アース部材７３との間に臨む位置に配線フック７７が設けられ、第１アース線７４における両ネジ止め部７４ａ,７４ａの途中部分が該配線フック７７に係止されて、第１アース線７４の全体が右板部３６ｄから前側に浮き上がらないよう構成されている。前記第２アース線７５は、第１アース線７４と同様に延在方向の両端部に金属製の第２ネジ止め部７５ａを夫々備え、一方の第２ネジ止め部７５ａが第２アース部材７３の第２基部７３ａにネジ止め固定されると共に、他方の第２ネジ止め部７５ａが設置部材３５のアース部７６にネジ止め固定されている(図１２参照)。
【００５７】
(アース部７６について)
前記アース部７６は、設置部材３５における第２表示装置４０の移動方向と交差する一側部に設けられている。実施例では、設置部材３５における両アース部材７２,７３が設けられる右側部に設けられている。具体的に、アース部７６は、前記右壁部３７ｄの開口前端部に設けられた取着部８４に着脱自在に配設されている。アース部７６は、金属板金を折曲形成した部材であって、図１２,図１４に示す如く、取着部８４にネジ止め固定される基部７６ａと、該基部７６ａを取着部８４に固定した状態で、該取着部８４の前側に臨む前方接触部７６ｂおよび該取着部８４の後側に臨む後方接触部７６ｃとを備えている。そして、前記第２アース線７５の他方の第２ネジ止め部７５ａが、アース部７６の基部７６ａにネジ止め固定される。実施例では、第２ネジ止め部７５ａをアース部７６の基部７６ａにネジ止めするためのネジによって該基部７６ａが取着部８４にネジ止めされるようになっている。なお、取着部８４には、該取着部８４から前方に延出する保護壁８４ａが設けられており(図１３参照)、該保護壁８４ａ内にアース部７６の前方接触部７６ｂが収容されている。
【００５８】
前記右板部３６ｄには、図４に示す如く、第２アース部材７３の配設位置からアース部７６に近接する位置までの間に複数の配線フック７７が離間して設けられており、第２アース部材７３に一端が接続された第２アース線７５は、複数の配線フック７７に係止されて、第２アース線７５の全体が右板部３６ｄから前側に浮き上がらないよう構成されている。なお、第２アース線７５における第２アース部材７３に接続される端部近傍は、右板部３６ｄに配設された前記第２支持部４５と右板部３６ｄの前面との間に引き回されて、該第２支持部４５によって前側に浮くのが規制されている。
【００５９】
前記右壁部３７ｄの前端部には、図１２,図１３に示す如く、前記アース部７６が設けられる位置より上側に、前記取付部３８の前面(遊技盤２０との当接面)より後側に退避する凹部７８が設けられている。また、凹部７８の底壁(取付部３８の前面と平行に延在する壁)には、配線フック７７および前後方向に貫通する通孔７８ａが形成されており、右板部３６ｄの最も上側に設けられた配線フック７７に係止された第２アース線７５は、右壁部３７ｄの内側に沿って前側に引き回された後に右壁部３７ｄの前端部に設けられた凹部７８内の配線フック７７に係止される。そして、第２アース線７５の他端部の第２ネジ止め部７５ａは、通孔７８ａから外側(右壁部３７ｄの外側)に引き出された後に、アース部７６の基部７６ａに裏側からネジ止め固定されるようになっている。すなわち、凹部７８内の配線フック７７に第２アース線７５を係止することで、アース部７６の近傍において第２アース線７５が前側に延出するのを防いで、設置部材３５を遊技盤２０の裏側に取付ける際に、該第２アース線７５が遊技盤２０との間に挟まるのを防止し得るよう構成される。また、凹部７８の底壁には、配線フック７７より上側(通孔７８ａの形成位置とは反対側)の内端縁に係止突部７８ｂが前側に向けて突設されており、凹部７８内に引き込まれた第２アース線７５が凹部７８から内側(空間側)に突出するのを該係止突部７８ｂで規制するようになっている。
【００６０】
前記設置部材３５を取付けた遊技盤２０を前記中枠１２の遊技盤設置部８０に取付けた状態で、図１４に示す如く、前記アース部７６の後方接触部７６ｃが前記取付具(金属部分)８３に接触するよう構成されている。すなわち、前記第１および第２アース部材７２,７３は、第１アース線７４、第２アース線７５およびアース部７６を介して中枠１２の取付具８３に電気的に接続される。なお、取付具８３は、遊技店の島設備にアース接続された図示しない電源制御装置に中枠１２を介して電気的に接続されており、前記第２表示装置４０に帯電した静電気は、最終的には電源制御装置を介して島設備に逃し得るよう構成される。また、実施例のパチンコ機１０では、前記遊技盤２０における前記設置部材３５のアース部７６の配設位置に対応する部位に、金属製の第３アース部材(接地部)８５が配設されており、遊技盤２０の裏面に設置部材３５を取付けることで、アース部７６の前方接触部７６ｂと第３アース部材８５とが接触するよう構成される(図１２参照)。第３アース部材８５は、遊技盤２０に配設された前記案内レール２１に接続されており、案内レール２１とパチンコ球との接触等によって遊技盤２０で発生した静電気は、第３アース部材８５、アース部７６および取付具８３を介して中枠１２に逃し得るようになっている。
【００６１】
〔実施例の作用〕
次に、実施例に係るパチンコ機１０の作用について説明する。
【００６２】
前記前枠１３の前面側に設けられた前記操作ハンドル１６の操作レバー１６ａを遊技者が回転操作すると、前記打球発射装置から発射されたパチンコ球が前記遊技領域２３内に打ち出される。そして、遊技領域２３を流下するパチンコ球が、前記始動入賞装置２９の第１始動入賞口２９ａや第２始動入賞口２９ｂに入賞すると、対応する始動入賞検出センサによる球検出を契機として、前記制御手段が各種情報(各種乱数情報)を取得して、この取得した入賞情報に基づいて大当り判定が行われる。
【００６３】
前記始動入賞検出センサによる球検出を契機と前記第１表示装置１７で図柄変動演出が開始される。また、前記第２表示装置４０の第２表示部４０ａにおいても、図柄変動に伴う演出が実行される。すなわち、図柄変動演出に際して２つの表示装置１７,４０によって表示演出が行われることで、遊技の興趣を向上することができる。前記大当り判定が当りの判定結果の場合は、第１表示装置１７の第１表示部１７ａに当り表示が表示されて大当り遊技が開始される。この大当り遊技では、前記特別入賞装置３０の特別用開閉部材３０ｂが開放作動されて特別入賞口３０ａへのパチンコ球の入賞が許容されると共に、第１表示装置１７の第１表示部１７ａにおいて大当り演出が行われる。また、前記第２表示装置４０の第２表示部４０ａにおいて、第１表示部１７ａで展開される大当り演出とは異なる演出が表示され、遊技の興趣が高められる。
【００６４】
前記制御手段は、始動入賞口２９ａ,２９ｂへの入賞を契機とする図柄変動演出の種類や大当り演出の種類に応じて、前記第２表示装置４０を待機位置から作動位置へ移動すると共に、作動位置において第２表示部４０ａに各種の演出画像を表示する表示演出を実行させることで、遊技の興趣を高める。
【００６５】
(第２表示装置４０の動作に伴う作用について)
前記第２表示装置４０は、図１０、図１１(ａ)に示す待機位置に位置する状態で、前記導電部材５９の接触部６０に第１アース部材７２が接触しており、第２表示装置４０に帯電する静電気を、導電部材５９から第１アース部材７２、第１アース線７４、第２アース部材７３および第２アース線７５を介してアース部７６に逃すことができる。また、アース部７６は、前記中枠１２の取付具８３に電気的に接続されており、アース部７６に伝った静電気を取付具８３を介して前記中枠１２に逃すことができる(図１４参照)。また、アース部７６は、前記遊技盤２０の第３アース部材８５に電気的に接続されており、遊技盤２０で発生した静電気もアース部７６および取付具８３を介して中枠１２に逃すことができる。
【００６６】
前記表示演出装置３９においては、前記第２表示装置４０が待機位置に臨む状態で、前記駆動モータ５１が所定方向に回転するよう駆動されると、前記駆動歯車に噛合する左側の第１ピニオン４９および第２ピニオン５０が同一方向に回転する。また、左側の第１ピニオン４９の回転に伴って回転軸５２を介して右側の第１ピニオン４９も同一方向に回転する。そして、左右のピニオン４９,５０,４９と対応する左右のラック４８,４８との噛合作用下に、第２表示装置４０が作動位置に向けて上方へ移動する。なお、右側の第２ピニオン５０は、第２表示装置４０の移動に伴って対応するラック４８との噛合作用下に回転する。第２表示装置４０が作動位置に向けて上方へ移動すると、前記導電部材５９の接触部６０は第１アース部材７２の第１弾性片７２ｂから離間して非接触状態となる。また、第２表示装置４０には、前記引張りコイルバネ５８の付勢力が上向きに作用しており、該第２表示装置４０を上昇させる際の駆動モータ５１に加わる負荷は軽減される。
【００６７】
前記第２表示装置４０の上昇に伴って前記保持部材４６の係合部６２における傾斜面６２ａが、前記保持手段６１における係合位置に臨む係合部材６３の第１延出部６９における傾斜面６９ａに下側から当接する。第２表示装置４０が更に上昇するのに伴い、係合部６２により係合部材６３が押されて前記バネ部材６４の付勢力に抗して支持軸６７を中心として係合部材６３が解除位置に向けて回動することで、第２表示装置４０の上昇が許容される。このとき、図７に示す如く、保持手段６１の第２延出部７０が挿通されている作動部材７１の係合孔７１ｂは第２延出部７０の上側に余裕(空間)が形成されているので、係合部材６３が係合位置から解除位置に向けて回動する際に作動部材７１やプランジャ６５ａが作動されることはない。そして、係合部６２における傾斜面６２ａの下端が係合部材６３の傾斜面６９ａの上端を越えるまで第２表示装置４０が上昇すると、係合部材６３が前記バネ部材６４の付勢力によって解除位置から係合位置に回動することで、該係合部材６３の段部６９ｂが係合部６２の下面に係合当接して該係合部６２の下方への移動が規制される(図８(ｂ)参照)。これにより、第２表示装置４０を作動位置に保持可能となる。
【００６８】
前記駆動モータ５１は、前記検出片５３ａが第２検出センサ５５で検出されると前記制御手段によって停止制御される。前記検出片５３ａが第２検出センサ５５で検出されて駆動モータ５１が停止制御される位置は、前記保持部材４６の係合部６２における傾斜面６２ａの下端が係合部材６３の傾斜面６９ａの上端を越えた位置に設定されており、駆動モータ５１を停止した際に自重によって下降しようとする第２表示装置４０は、前記係合部６２が係合部材６３の段部６９ｂに係合することで作動位置に保持される(図６参照)。
【００６９】
また、前記第２表示装置４０が待機位置から作動位置に移動する際には、前記導電部材５９の接触部６０に第２アース部材７３の第２弾性片７３ｂが弾性的に接触して導通状態となる(図１０、図１１(ｂ)参照)。すなわち、作動位置において第２表示装置４０に帯電する静電気は、導電部材５９から第２アース部材７３および第２アース線７５を介してアース部７６に逃すことができる。そして、アース部７６に伝わった静電気は、前述したように取付具８３を介して中枠１２に逃すことができる。
【００７０】
ここで、前記第２アース部材７３の第２弾性片７３ｂは、図１０に示す如く、下側から上側に向かうにつれて前側へ変位するように傾斜すると共に、該第２弾性片７３ｂの上側に位置する自由端部は後側に向けて弧状に折曲されている。また、前記接触部６０における平坦部６０ａの上端縁から延出する第２導入部６０ｃは第２弾性片７３ｂと同様に下側から上側に向かうにつれて前側へ変位するように傾斜している。従って、第２表示装置４０が待機位置から作動位置に移動する際には、第２導入部６０ｃによって第２弾性片７３ｂを弾性変形させつつ平坦部６０ａにスムーズに導びくことができ、第２弾性片７３ｂが接触部６０の上端縁に引っ掛かって第２表示装置４０の移動が阻害されたり第２アース部材７３が破損等するのを防止し得る。
【００７１】
前記保持手段６１の電磁ソレノイド６５に通電すると、プランジャ６５ａが上側に移動するのに伴って作動部材７１も上側に移動する。前記係合部材６３は、第２延出部７０が作動部材７１の係合孔７１ｂにおける下端縁に当接しているので、該作動部材７１の上側への移動と共に係合部材６３が支持軸６７を中心として係合位置から解除位置へ回動して、前記第１延出部６９の段部６９ｂが前記係合部６２の下側から退避し、第２表示装置４０の下降が許容される状態となる。従って、前記駆動モータ５１が、第２表示装置４０を待機位置から作動位置へ移動させるときとは反対方向に回転するよう駆動されると、前記ピニオン４９,５０,４９,５０とラック４８,４８との噛合作用下に、第２表示装置４０は作動位置から待機位置へ向けて移動される。第２表示装置４０が作動位置から下降した後に、電磁ソレノイド６５に対する通電を停止(遮電)すると、前記バネ部材６４の付勢力によって係合部材６３が解除位置から係合位置に回動するのに伴って作動部材７１およびプランジャ６５ａが下側へ移動し、係合部材６３は第２延出部７０が作動部材７１の係合孔７１ｂの下端縁に当接して係合位置に保持される(図７、図８(ａ)参照)。
【００７２】
前記第２表示装置４０が作動位置から待機位置に移動する際には、前記導電部材５９の接触部６０に第１アース部材７２の第１弾性片７２ｂが弾性的に接触して導通状態となり、待機位置において第２表示装置４０に帯電する静電気は前述したようにアース部７６に逃すことができる。
【００７３】
ここで、前記第１アース部材７２の第１弾性片７２ｂは、図１０に示す如く、上側から下側に向かうにつれて前側へ変位するように傾斜すると共に、該第１弾性片７２ｂの下側に位置する自由端部は後側に向けて弧状に折曲されている。また、前記接触部６０における平坦部６０ａの下端縁から延出する第１導入部６０ｂは第１弾性片７２ｂと同様に上側から下側に向かうにつれて前側へ変位するように傾斜している。従って、第２表示装置４０が作動位置から待機位置に移動する際には、第１導入部６０ｂによって第１弾性片７２ｂを弾性変形させつつ平坦部６０ａにスムーズに導びくことができ、第１弾性片７２ｂが接触部６０の下端縁に引っ掛かって第２表示装置４０の移動が阻害されたり第１アース部材７２が破損等するのを防止し得る。
【００７４】
実施例のパチンコ機１０では、前記待機位置と作動位置との間を移動する第２表示装置４０は、前記待機位置では導電部材５９の接触部６０と第１アース部材７２とが接触して、該第２表示装置４０に帯電する静電気を第１アース部材７２、第１アース線７４、第２アース部材７３および第２アース線７５を介してアース部７６に逃すことができる。また、前記作動位置では導電部材５９の接触部６０と第２アース部材７３とが接触して、該第２表示装置４０に帯電する静電気を第２アース部材７３および第２アース線７５を介してアース部７６に逃すことができる。すなわち、第２表示装置４０の待機位置および作動位置の何れにおいても導電部材５９とアース部材７２,７３とを接触させて第２表示装置４０に帯電した静電気をアース部７６に効果的に逃がすことができ、静電気に起因する悪影響が第２表示装置４０に及ぶのを防止し得る。
【００７５】
また、前記第２表示装置４０の待機位置および作動位置において静電気をアース部７６に逃すためのアース部材７２,７３を、待機位置で導電部材５９に接触する第１アース部材７２と作動位置で導電部材５９に接触する第２アース部材７３とに別体で構成したので、一方のアース部材７２,７３が損傷等した場合には損傷したアース部材７２,７３のみの交換で済み、交換に掛かるコストを低減し得る。また、両アース部材７２,７３を第１アース線７４で接続し、前記アース部７６には第２アース部材７３を第２アース線７５で接続するよう構成したので、各アース部材７２,７３の夫々を別のアース線でアース部７６に夫々接続する場合に比べてアース部７６に接続するためのアース線の数を減らすことができる。なお、第１アース部材７２および第２アース部材７３を第２表示装置４０の移動方向に離間して配置しているので、該第２表示装置４０が待機位置と作動位置との間を移動する途中では、前記導電部材５９の接触部６０が両アース部材７２,７３に接触しないので、両者６０,７２,７３の接触抵抗が前記駆動モータ５１の負荷となる領域を極力少なくすることができ、該駆動モータ５１の負荷軽減に寄与し得る。
【００７６】
また、前記アース部材７２,７３およびアース部７６は、何れも設置部材３５の右側の板部３６ｄおよび壁部３７ｄに設けているので、前記第２アース部材７３とアース部７６とを接続する第２アース線７５を引き回す距離を短かくすることでき、該第２アース線７５の取り回しが容易となる。
【００７７】
前記第１アース部材７２の第１弾性片７２ｂおよび第２アース部材７３の第２弾性片７３ｂは、何れも導電部材５９に対して弾性的に接触するよう構成したので、第２表示装置４０の待機位置および作動位置において振動等によって導電部材５９と弾性片７２ｂ,７３ｂとが離間するのは防止される。すなわち、導電部材５９に対する各アース部材７２,７３の確実な接触を維持することができ、確実なアース対策を実施し得る。
【００７８】
実施例のパチンコ機１０では、前記設置部材３５を取付けた遊技盤２０を前記中枠１２に取付けることで、該中枠１２の取付具(金属部分)８３に前記アース部７６が接触して電気的に接続される。すなわち、設置部材３５のアース部７６と中枠１２の取付具８３とをアース線で接続する必要はなく、アース線を接続する煩雑な作業を省いて作業性が良好となる。また、実施例では、遊技盤２０の裏側に設置部材３５を取付けることで、該設置部材３５の前記アース部７６が遊技盤２０の第３アース部材８５に接触して電気的に接続されるので、前記第２表示装置４０の静電気を中枠１２に逃すためのアース部７６を介して遊技盤２０で発生した静電気も中枠１２に逃すことができる。
【００７９】
実施例のパチンコ機１０では、前記第２表示装置４０を移動するための駆動モータ５１とアース部材７２,７３とを導電部材５９の延在方向の一端側と他端側とに分けて配置するようにしたので、スペース効率よく駆動モータ５１とアース部材７２,７３とを配置することができる。また、前記表示演出装置３９は、設置部材３５に対して移動自在に配設した第２表示装置４０の保持部材４６に駆動モータ５１を配設しているから、該設置部材３５に駆動モータ５１を配設する設置スペースを確保する必要はなく、設置部材３５のスペースを有効利用することができる。しかも、実施例の駆動モータ５１は、前記アース部材７２,７３が配設される側とは反対側に配置されているので、該駆動モータ５１の回転力をピニオン４９,５０に伝達する駆動歯車とアース部材７２,７３との接触干渉を考慮することなく余裕をもって駆動モータ５１や駆動歯車を配置することができる。
【００８０】
前記第２表示装置４０は、駆動モータ５１により回転されるピニオン４９,５０,４９,５０と支持部４４,４５に配設されるラック４８,４８との噛合作用によって移動されるから、第２表示装置４０の確実な動作を達成し得る。また実施例では、左右方向に離間する一対のラック４８,４８に対応するピニオン４９,５０,４９,５０を噛合して第２表示装置４０を作動するよう構成してあるから、該第２表示装置４０を安定して移動させることができる。更に、前記保持部材４６に回転自在に支持した回転軸５２の両端に第１ピニオン４９,４９を配設して、各第１ピニオン４９,４９を対応するラック４８,４８に噛合し、一方の第１ピニオン４９を駆動モータ５１によって回転駆動するよう構成している。すなわち、一対の第１ピニオン４９,４９は回転軸５２を介して駆動モータ５１によって積極的に回転されるので、一対の第１ピニオン４９,４９の回転位置がずれることはなく、第２表示装置４０を左右方向に傾いたりすることなく安定して移動させることができる。従って、待機位置および作動位置において確実にアース部材７２,７３に導電部材５９の接触部６０を接触させることができ、確実なアース対策を実施し得る。
【００８１】
前記第２表示装置４０は、前記引張りコイルバネ５８によって上方に向けて付勢されているので、該第２表示装置４０を待機位置から作動位置へ上昇させる際には、該引張りコイルバネ５８の付勢力によって駆動モータ５１の駆動負荷を軽減することができる。また、引張りコイルバネ５８は、前記設置部材３５における前記アース部材７２,７３が配設される側とは反対側に設けられているので、設置部材３５のスペースを有効利用することができる。前記引張りコイネバネ５８は、設置部材３５に配設したケース体５６に収容されているので、該引張りコイルバネ５８が他の部品や配線等に接触干渉することで引張りコイネルバネ５８の機能が発揮できなくなったりするのを防止し得る。また、ケース体５６は、前記検出センサ５４,５５の設置部として機能しているので、検出センサ５４,５５を設置するためだけの部品を設けるのに比べて、部品点数およびコストを低減し得る。
【００８２】
また、実施例のパチンコ機１０では、前記駆動モータ５１の駆動により前記第２表示装置４０が待機位置から作動位置に移動した際に、該第２表示装置４０に設けた前記係合部６２が、前記設置部材３５に配設した保持手段６１の係合部材６３に係合して当該第２表示装置４０が作動位置に保持されるよう構成した。すなわち、保持手段６１によって第２表示装置４０を作動位置に保持し得るから、第２表示装置４０を作動位置に保持するために駆動モータ５１を駆動制御する必要はなく、該駆動モータ５１を停止した状態で第２表示装置４０を確実に作動位置に保持し得る。従って、駆動モータ５１に掛かる駆動負荷を低減し得ると共に、制御系の負荷も低減し得る。また、保持手段６１は、前記設置部材３５における前記アース部材７２,７３が配設される側とは反対側に設けられているので、設置部材３５のスペースを有効利用することができる。
【００８３】
また、前記保持手段６１の係合部材６３は、第２表示装置４０が待機位置から作動位置へ移動する際には、第２表示装置４０の係合部６２によって係合位置から解除位置へ回動された後に、係合位置にバネ部材６４に付勢力によって戻ることで係合部６２に係合し得るよう構成したので、係合部材６３を係合部６２に係合させるための駆動手段を必要とせず、構成を簡略化し得る。
【００８４】
前記設置部材３５の右板部３６ｄの前面に沿って引き回される前記第１アース線７４は、該第１アース線７４によって電気的に接続される第１アース部材７２と第２アース部材７３との間において配線フック７７によって右板部３６ｄの前面から前側へ浮き上がらないようにしている。従って、第１アース部材７２および第２アース部材７３に接触するように配設された第２表示装置４０の導電部材５９の接触部６０が、第２表示装置４０の移動時に第１アース線７４に引っ掛かるのを防止することができ、第２表示装置４０の移動が阻害されたり第１アース線７４がアース部材７２,７３から外れてしまうのを防ぐことができる。また、第１アース線７４の浮き上がりを防止することで、第２表示装置４０を設置部材３５の背面板３６に近づけて配置することができ、パチンコ機１０の前後寸法の短縮化に寄与し得る。
【００８５】
前記第２アース部材７３とアース部７６とを電気的に接続する第２アース線７５における第２アース部材７３の近傍に位置する部位は、前記設置部材３５の右板部３６ｄと第２支持部４５との間を引き回されて、該第２支持部４５によって第２アース線７５が第２支持部４５より前側へ移動するのは規制されている。すなわち、第２アース線７５についても、前記第１アース線７４と同様に、第２表示装置４０の移動時に第２アース線７５に導電部材５９の接触部６０が引っ掛かるのを防止することができ、第２表示装置４０の移動が阻害されたり第２アース線７５が第２アース部材７３から外れてしまうのを防ぐことができる。
【００８６】
また、前記第２アース線７５は、前記凹部７８の通孔７８ａを介して設置部材３５から一旦外側に引き出された後に、前記アース部７６に裏側から接続するよう構成されている。従って、遊技盤２０の裏側に設置部材３５を取付ける際に、遊技盤２０に第２アース線７５が引っ掛かったり設置部材３５の取付部３８と遊技盤２０との間に該第２アース線７５が挟まれることはない。従って、設置部材３５と遊技盤２０との取付け作業性が向上する。
【００８７】
〔変更例〕
本願は前述した実施例の構成に限定されるものではなく、その他の構成を適宜に採用することができる。
(1) 実施例では、第２表示装置を鉛直に上下動する構成としたが、該第２表示装置を斜めに上下動させたり、左右方向に移動させる等、各方向へ移動させる構成を採用し得る。
(2) 実施例では、第２表示装置を設置部材に移動自在に配設したが、該第２表示装置が移動自在に配設される設置部は遊技盤、その他の部材であってもよい。
(3) 実施例では、第２表示装置を移動させる移動機構を構成するラックを表示演出装置を設置部材に取付けるための支持基体(支持部)に設けたが、該ラックを設置部材の背面板に直に配設する構成を採用し得る。
(4) 実施例では、第２表示装置を移動させる機構としてラックとピニオンとを用いたが、リンク機構、その他の機構を採用することができる。
(5) 実施例では、移動する第２表示装置に駆動モータを配設したが、該駆動モータ(駆動手段)は設置部に配設した構成を採用し得る。すなわち、第２表示装置側にラックを設け、該ラックに噛合するピニオンを設置部に配置した駆動モータで回転するようにすればよい。
【００８８】
(6) 実施例では、第２アース部材をアース部にアース線で電気的に接続したが、第１アース部材をアース部にアース線で電気的に接続してもよい。
(7) 実施例では、第１アース部材と第２アース部材とを第１アース線で電気的に接続するよう構成したが、設置部に配設した金属板に両アース部材をネジ止め固定することで両アース部材を電気的に接続した状態とする構成を採用し得る。
(8) 実施例では、弾性変形可能な弾性片を有する板ばねでアース部材を構成したが、第２表示装置の導電部材に板ばねからなる接触部を設け、該接触部が待機位置および作動位置において対応するアース部材に弾性的に接触するようにしてもよい。
(9) 実施例では、保持手段の係合部材に係脱自在に係合する係合部を保持部材に設けたが、該係合部を導電部材に直接設けるようにしてもよい。
(10) 実施例では、付勢手段や付勢部材としてバネを用いたが、付勢手段や付勢部材としてはゴム等の弾性部材を採用し得る。
【００８９】
(11) 実施例では、保持手段を設置部に設けるよう構成したが、該保持手段を第２表示装置に配設し、第２表示装置が作動位置に移動した際に係合部材が設置部に設けた係合部に係合する構成を採用し得る。
(12) 実施例では、導電部材を金属板金から構成したが、導電性を有する合成樹脂材料から構成したものであってもよい。
(13) 実施例では、第２表示装置に設けられた保持部材に導電部材を配設したが、第２表示装置に直に導電部材を配設する構成を採用し得る。すなわち、駆動モータや回転軸を導電部材に配設し、移動機構で発生する静電気を導電部材を介してアース部に逃すようにしてもよい。
(14) 遊技機としては、パチンコ機に限られるものではなく、アレンジボール機やパチンコやコイン等の遊技媒体を用いたスロットマシン等、その他各種の遊技機であってもよい。
【符号の説明】
【００９０】
３５ 設置部材(設置部)
４０ 第２表示装置(表示装置)
４０ａ 第２表示部(表示部)
５１ 駆動モータ(駆動手段)
５９ 導電部材
６１ 保持手段
７２ 第１アース部材
７３ 第２アース部材
７６ アース部
【図１】
0006352883.tif 000002
【図２】
0006352883.tif 000003
【図３】
0006352883.tif 000004
【図４】
0006352883.tif 000005
【図５】
0006352883.tif 000006
【図６】
0006352883.tif 000007
【図７】
0006352883.tif 000008
【図８】
0006352883.tif 000009
【図９】
0006352883.tif 000010
【図１０】
0006352883.tif 000011
【図１１】
0006352883.tif 000012
【図１２】
0006352883.tif 000013
【図１３】
0006352883.tif 000014
【図１４】
0006352883.tif 000015